(57)【要約】【課題】携帯式無線機１０は、緊急事態対応の通報処理として、無線による緊急事態発生通報の他に、周囲へ緊急事態発生をアラート音で知らせるオーディブル方式と、無線による緊急事態発生の通報のみの無線によるサイレント方式とを装備する。ユーザは、緊急事態発生に実際に遭遇した際、緊急事態の状況に応じて適切な方式による緊急事態発生通報を行えるようにする。【解決手段】ユーザは、いずれかの方式を予定通報方式として携帯式無線機１０に登録する。ユーザは、実際の緊急事態発生時に、緊急事態の状況を見極め、予定通報方式を選択する場合には、エマージェンシーキーを長押しし（Ｓ５６，Ｓ５７正）、予定通報方式とは別の方式を選択する場合には、エマージェンシーキーを数回押しする（Ｓ５６，Ｓ５７否）。ユーザ選択に応じて、オーディブル方式（Ｒ６０）又はサイレント方式（Ｒ６１）により緊急事態対応通報処理が実行される。【選択図】図５
2008112298.tif 000002
【特許請求の範囲】
【請求項１】
緊急事態対応通報処理として、無線による緊急事態発生通報と共に周囲への聴覚的及び／又は視覚的媒体による緊急事態発生通報を行う第１の通報方式と、無線による緊急事態発生通報のみを行う第２の通報方式とを備える無線機において、
ユーザが緊急事態発生の通報指示に際して選択した通報方式を検知する検知手段、及び
検知した選択通報方式により緊急事態対応通報処理を実行する実行手段、
を備えることを特徴とする無線機。
【請求項２】
前記検知手段は、通報用操作部材に対するユーザの操作態様に基づきユーザの選択した通報方式を検知することを特徴とする請求項１記載の無線機。
【請求項３】
ユーザが第１及び第２の通報方式の中から予定通報方式として設定したものを記憶する記憶媒体、
ユーザが前記通報用操作部材を第１及び第２のどちらの操作態様で操作したかを検知する前記検知手段、及び
第１の操作態様が検知された場合には前記予定通報方式により緊急事態対応通報処理を実行し第２の操作態様が検知された場合には前記予定通報方式ではない方の通報方式により緊急事態対応通報処理を実行する前記実行手段、
を備えることを特徴とする請求項２記載の無線機。
【請求項４】
第１及び第２の操作態様の一方は、所定時間以上の継続操作するものであり、他方は操作と操作解除との切替を所定頻度以上で行うものであることを特徴とする請求項２又は３記載の無線機。
【請求項５】
緊急事態対応通報処理として、無線による緊急事態発生通報と共に周囲への聴覚的及び／又は視覚的媒体による緊急事態発生通報を行う第１の通報方式と、無線による緊急事態発生通報のみを行う第２の通報方式とを備える無線機の制御方法において、
ユーザが緊急事態発生の通報指示に際して選択した通報方式を検知するステップ、及び
検知した選択通報方式により緊急事態対応通報処理を実行するステップ、
を備えることを特徴とする無線機制御方法。
【請求項６】
請求項１〜４のいずれかに記載の無線機の各手段としてコンピュータを機能させるプログラム。
【発明の詳細な説明】
【技術分野】
【０００１】
本発明は、緊急事態発時の通報処理を該緊急事態の状況に合わせて適切な通報方式で実施する無線機、制御方法及びプログラムに関する。
【背景技術】
【０００２】
特許文献１は、車両における緊急事態発生時には、車室内の音を集音するマイクロホンの感度を増大して、車室内の音を送信する無線機について開示する。
【０００３】
一方、従来の緊急事態無線通報機能付き無線機は、エマージェンシーモードに関して音響発生方式（Ａｕｄｉｂｌｅ）と無音響方式（Ｓｉｌｅｎｔ）とがあるとともに、エマージェンシーキーを１個装備する。音響発生方式とは、ユーザがエマージェンシーキーを押下した場合に、緊急事態発生の無線通報の他に、音響を発生してユーザ周囲にも緊急事態発生を通報するものである。また、無音響方式とは、ユーザがエマージェンシーキーを押下した場合に、音響を発生せずに、すなわち、ユーザ周囲には緊急事態の無線通報を秘密にしつつ、緊急事態を無線通報するものである。該従来の無線機では、ユーザは、エマージェンシーキーを押下した時に音響発生方式及び無音響方式のどちらの通報方式にするかは、ユーザが予め設定しておくようになっている。
【特許文献１】特開２００１−２８７５９９号公報
【発明の開示】
【発明が解決しようとする課題】
【０００４】
従来の緊急事態無線通報機能付き無線機では、エマージェンシーキーを押下すると、予め設定しておいた方式で、作動してしまうので、緊急事態の状況によっては、ユーザに不都合な無線通報になったり、ユーザは、これを回避するためには、緊急事態の無線通報をためらわなければならなかったりすることがある。例えば、音響発生方式に設定してある場合に、危険人物がそばにいたりすると、音響の発生により、ユーザが緊急事態発生の無線通報したことを該危険人物に知られてしまい、ユーザは余計危険な状況に陥ってしまう。
【０００５】
また、無音響方式に設定してある場合に、ユーザが閉じ込めや自身では脱出不能の事態になった場合には、無線通報とは別に周囲に速やかに助けを呼びたいにもかかわらず、知らせることができず、迅速な脱出が困難になったり、救援者に自分の居場所を知らせられなかったりする。なお、緊急事態発生後に、事前設定の通報方式を変更してから、エマージェンシーキーを操作することは、手間と時間がかかり、現実上、無理である。
【０００６】
特許文献１の無線機は、緊急事態発生時のユーザ側の状況を無線相手へ通報するのには有効であるが、ユーザが、緊急事態の状況に合わせて、音響発生方式及び無音響方式の内の適切な方の方式へ切り替えるための有効な対処法については一切言及していない。
【０００７】
本発明の目的は、発生した緊急事態の状況に応じて適切な方式で通報処理することができる無線機、制御方法及びプログラムを提供することである。
【課題を解決するための手段】
【０００８】
本発明によれば、ユーザが、実際の緊急事態発生に遭遇した時には、緊急事態の状況に応じた所望の通報方式を、通報用操作部材の操作態様の相違、操作する通報用操作部材の相違、数値キーから入力する数値の相違、又は発声文言の相違等により、選択可能にする。
【０００９】
すなわち、本発明の無線機は、緊急事態対応通報処理として、無線による緊急事態発生通報と共に周囲への聴覚的及び／又は視覚的媒体による緊急事態発生通報を行う第１の通報方式と、無線による緊急事態発生通報のみを行う第２の通報方式とを備えるとともに、下記の手段を有している。
ユーザが緊急事態発生の通報指示に際して選択した通報方式を検知する検知手段、及び
検知した選択通報方式により緊急事態対応通報処理を実行する実行手段。
【００１０】
本発明の無線機制御方法は次のステップを有している。
ユーザが緊急事態発生の通報指示に際して選択した通報方式を検知するステップ、及び
検知した選択通報方式により緊急事態対応通報処理を実行するステップ。
【００１１】
本発明のプログラムは、本発明の無線機の各手段としてコンピュータを機能させる。
【発明の効果】
【００１２】
本発明によれば、ユーザは、遭遇した緊急事態の状況に応じて適切な通報方式を選択できるので、緊急事態の状況に応じた速やかな救援縁可能になる。
【発明を実施するための最良の形態】
【００１３】
図１は携帯式無線機１０の正面図である。携帯式無線機１０は、無線機本体１１と、無線機本体１１から上方へ突出するアンテナ１２とを装備している。無線機本体１１の正面側には、表示器１３、スピーカ１４及び複数の操作キー１５が配備される。
【００１４】
操作キー１５には１個のエマージェンシーキーが含まれる。エマージェンシーキーは、無線機本体１１の側面や裏面に配備されてもよい。エマージェンシーキーは、専用キーとしてではなく、他の機能キーと兼用されてもよい。兼用の場合は、所定の機能切替キーにより機能切替えしてから、エマージェンシーキーとして操作することになる。
【００１５】
図２はエマージェンシーキーの各操作態様の説明図である。エマージェンシーキーは、押下（Ｐｕｓｈ）されるとオンになり、出力はローレベルとなる。また、押下解除（Ｒｅｌｅａｓｅ）されると、ばね等の弾性部材の作用により元の高さに復帰し、オフになるとともに、出力はハイレベルになる。
【００１６】
図２（ａ）はエマージェンシーキーを長押しで操作した場合のエマージェンシーキーの出力レベルの変化を示している。後述の図３のフローチャートでは、ユーザがエマージェンシーキーを所定時間Ｔｌ以上連続的に押下した場合に、長押しが行われたと判断する。
【００１７】
図２（ｂ）はエマージェンシーキーを数回押しで操作した場合のエマージェンシーキーの出力レベルの変化を示している。後述の図３のフローチャートでは、ユーザが所定時間Ｔｓ内に２回以上押下した場合には、数回押しが行われたと判断する。なお、図２では、Ｔｓ＜Ｔｌに設定されているが、Ｔｓ＝Ｔｌとしてもよい。
【００１８】
図３及び図４はエマージェンシー処理方法２０の第１及び第２の部分のフローチャートである。図３において、Ｒ２８，Ｒ３５は、複数のＳ（ステップ）の集合であるので、符号をＲ（ルーチン）にしている。最初に、エマージェンシー処理方法２０のコンセプトについて説明する。エマージェンシーキーがオン（押下状態）になっていたら（Ｓ２１Ｙｅｓ）、長押し用の経過時間測定タイマを設定（起動）するとともに（Ｓ２５）、緊急事態発生に対する最初のオンか否かを、数回押し用の回数測定カウンタの値＝０か否かに基づき判定し（Ｓ４２）、最初のオンであれば、数回押し用の経過時間測定タイマを設定（起動）する（Ｓ４３）。
【００１９】
長押し用及び数回押し用の経過時間測定タイマがそれぞれ所定時間Ｔｌ，Ｔｓを測定するまでは、Ｔｓ内に数回押し用のオン回数計数タイマの値が所定値（図２の例では該所定値＝２）以上にならない限り（Ｓ４７Ｎｏ）、Ｓ２１Ｙｅｓ→・・・→Ｓ２７Ｎｏ→・・・→Ｓ４６Ｙｅｓ→Ｓ４７Ｎｏ→Ｒ３５→Ｓ２１Ｙｅｓと循環し、長押し用及び数回押し用の経過時間測定タイマは、１循環ごとに、それぞれＳ２６，Ｓ４５において１ずつインクリメントされる。また、数回押しの場合には、途中、エマージェンシーキーがオンからオフへ切り替えられるので、オフへ切り替えられている期間では、Ｓ２１Ｎｏ→Ｓ３３→Ｓ３４→Ｒ３５→Ｓ２１Ｎｏを循環し、数回押し用の経過時間測定タイマは、エマージェンシーキーのオフ中も、１循環ごとにＳ３４において１ずつインクリメントされ、緊急事態発生に対する最初のオン開始時からの経過時間が測定される。
【００２０】
長押し用の経過時間測定タイマの測定値が所定時間Ｔｌ以上になれば（Ｓ２７Ｙｅｓ）、又は数回押し用の経過時間測定タイマの測定値が所定時間Ｔｓ以上になるまえに、数回押し用のオン回数計数カウンタの計数値が所定値（例：該所定値＝２）以上になれば（Ｓ４６Ｙｅｓ及びＳ４７Ｙｅｓ）、Ｒ２８のエマージェンシーモードへ進み、それ以外であれば、エマージェンシーキーのオンがあっても、緊急事態発生ではなかったとして、Ｓ４８で数回押し用のオン回数計数カウンタをリセットしてから、Ｒ３５の他の処理へ進む。緊急事態発生でない通常時では、Ｓ２１Ｎｏ→Ｓ３３→Ｓ３４→Ｒ３５→Ｓ２１Ｎｏを循環する。Ｒ３５の他の処理は、滞留することなく、きわめて短時間で終了して、Ｓ２１へ進むようになっている。
【００２１】
エマージェンシー処理方法２０についての詳細を説明する。Ｓ２１では、エマージェンシーキーがオン状態であるか否かを判定し、判定が正であれば、Ｓ２２へ進み、否であれば、Ｓ３３へ進む。Ｓ３３では、キー（ｋｅｙ）状態を”Ｒｅｌｅａｓｅ”（解放）に設定する。具体的には、現在及び前のキー状態を記憶するためのフラグを用意し、例えば、フラグのセット及びリセットをキー状態の”Ｐｕｓｈ”（押下）及び”Ｒｅｌｅａｓｅ”に対応させる。Ｓ３３では、現在のキー状態を記憶するフラグをリセットする。Ｓ３４では、数回押し用の時間計数タイマをカウントする。具体的には、カウント値を１だけインクリメントする。Ｒ３５では、他の処理として、エマージェンシーモードの処理とは別の処理を実行する。
【００２２】
Ｓ２２では、エマージェンシーキーの前の状態を記憶する。具体的には、前のキー状態用のフラグの値を現在のキー状態用のフラグの値にする。Ｓ２３では、現在のキー状態を”Ｐｕｓｈ”にする。具体的には、現在のキー状態用のフラグをセットする。
【００２３】
Ｓ２４では、前のキー状態が”Ｒｅｌｅａｓｅ”であるか否かを判定し、判定が正であれば、Ｓ２５へ進み、否であるならば、Ｓ２６へ進む。前のキー状態は、Ｓ２２で処理したフラグのセット及びリセットから判別できる。Ｓ２５では、長押し用の経過時間測定タイマを設定（起動）する。Ｓ２６では、長押し用の経過時間測定タイマをカウントする。具体的には、該タイマのカウント値を１だけインクリメントする。
【００２４】
Ｓ２７では、長押し用の経過時間測定タイマの測定時間が所定時間Ｔｌ以上となったか否かを判定し、判定が正であれば、Ｒ２８へ進み、否であれば、Ｓ４１へ進む。Ｒ２８では、エマージェンシーモードへ突入する。エマージェンシーモードの処理の詳細は後述の図５において説明する。
【００２５】
Ｓ４１では、前のキー状態が”Ｒｅｌｅａｓｅ”か否かを判定し、判定が正であれば、Ｓ４２へ進み、否であれば、Ｓ４５へ進む。数回押しにおけるエマージェンシーキー押下回数を計数するカウンタが用意されており、Ｓ４２では、該カウンタの計数値を読み出して、数回押しにおける押下回数を検出してから、数回押しにおける押下回数が０か否かを判定する。そして、判定が正であれば、Ｓ４３へ進み、否であれば、Ｓ４４へ進む。Ｓ４３では、数回押し用の経過時間測定タイマを設定する（起動する。）。
【００２６】
Ｓ４４では、数回押し用の押下回数計数カウンタを１だけインクリメントする。Ｓ４５では、数回押し用の経過時間測定タイマをカウントする。すなわち１だけインクリメントする。Ｓ４６では、数回押し用の経過時間測定タイマの経過時間が所定時間Ｔｓ未満か否かを判定し、判定が正であれば、Ｓ４７へ進み、否であれば、Ｓ４８へ進む。Ｓ４７では、数回押し用のオン回数が所定値（図２の例では該所定値＝２）以上になっているか否かを判定し、判定が正であれば、Ｒ２８へ進み、否であれば、Ｒ３５へ進む。Ｓ４８では、数回押し用のオン回数計数カウンタをリセットし、その後、Ｒ３５へ進む。
【００２７】
図５はエマージェンシーモードにおける処理のフローチャートである。携帯式無線機１０では、ユーザが将来の緊急事態遭遇時にエマージェンシーキーを長押しした場合に、音響発生方式と無音響方式とのどちらの通報方式を実行するかをユーザに予め設定させておく。以下、予め設定した方の通報方式を適宜、「予定通報方式」と呼ぶ。そして、緊急事態発生の実際の遭遇時に、ユーザがエマージェンシーキーを長押しした場合には、予定通報方式を実行し、長押しではなく、数回押しした場合には、予定通報方式とは異なる方の通報方式を実行する。
【００２８】
図５のフローチャートの概略について説明する。Ｓ５５〜Ｓ５７では、ユーザが緊急事態発生に対して予め設定しておいた通報方式がＡｕｄｉｂｌｅ（音響発生方式）及びＳｉｌｅｎｔ（無音響方式）のどちらであるかを調べるとともに（Ｓ５５）、また、エマージェンシーキーに対する今回のユーザ操作が長押し及び数回押しのどちらであるかを調べる（Ｓ５６，Ｓ５７）。
【００２９】
予定通報方式がＡｕｄｉｌｂｅでかつ操作態様が長押しである場合、又は予定通報方式がＳｉｌｅｎｔでかつ操作態様が数回押しである場合には、Ｒ６０のＡｕｄｉｂｌｅへ進む。また、予定通報方式がＳｉｌｅｎｔでかつ操作態様が長押しである場合、又は予定通報方式がＡｕｄｉｂｌｅでかつ操作態様が数回押しである場合には、Ｒ６１のＳｉｌｅｎｔへ進む。
【００３０】
Ｒ６０のＡｕｄｉｂｌｅによる通報処理では、アラート音（Ｓ６５）→緊急事態発生の旨の自動送信（Ｓ６６）→アラート音（Ｓ６７）→通報相手の無線機からの受信（Ｓ６８）を１サイクルとして、該サイクルを所定回数だけ繰り返す（Ｓ６９）。Ｒ６１のＳｉｌｅｎｔによる通報処理では、アラート音を作動させることなく、緊急事態発生の旨の自動送信（Ｓ７４）→通報相手の無線機からの受信（Ｓ７５）を１サイクルとして、該サイクルを所定回数だけ繰り返す（Ｓ７６）。
【００３１】
エマージェンシーモードの処理を詳細に説明する。Ｓ５５では、ユーザが予め設定した通報方式がＡｕｄｉｂｌｅになっているか否かを判定し、判定が正であれば、Ｓ５６へ進み、否であれば（Ｓｉｌｅｎｔであれば）、Ｓ５７へ進む。Ｓ５６では、長押しによるエマージェンシーモード突入か否かを判定し、判定が正であれば、Ｒ６０のＡｕｄｉｂｌｅへ進み、否であれば、Ｒ６１のＳｉｌｅｎｔへ進む。Ｓ５７では、長押しによるエマージェンシーモード突入か否かを判定し、判定が正であれば、Ｒ６１のＳｉｌｅｎｔへ進み、否であれば、Ｒ６０のＡｕｄｉｂｌｅへ進む。
【００３２】
Ｒ６０のＳ６５では、アラートを鳴らし、次のＳ６６では、緊急事態発生の旨をセンター等の所定の無線機へ自動送信し、次のＳ６２では、再びアラートを鳴らし、次のＳ６３では、受信動作となる。Ｓ６９では、Ｓ６５〜Ｓ６８を１サイクルとして、該サイクルの実行回数が、エマージェンシーモード突入後、所定値以上に達したか否かを判定し、判定が正であれば、エマージェンシーモードを終了し、否であれば、Ｓ６５へ戻る。
【００３３】
Ｒ６１のＳ７４，Ｓ７５はそれぞれＳ６４，Ｓ６８と同一の処理を行い、Ｓ７４では、緊急事態発生の旨を所定の無線機へ自動送信し、Ｓ７５では、受信動作となる。Ｓ７６では、Ｓ７４，Ｓ７５を１サイクルとして、該サイクルの実行回数が、エマージェンシーモード突入後、所定値以上に達したか否かを判定し、判定が正であれば、エマージェンシーモードを終了し、否であれば、Ｓ７４へ戻る。なお、Ｒ６１のＳｉｌｅｎｔにおいて、Ｓ７５の受信動作において、相手機のユーザの声がスピーカから漏れて不都合が生じる場合もあり、それに対処したＳｉｌｅｎｔでは、Ｒ６１からＳ７５を除去し、Ｓ７４のみを残すようにしてもよい。
【００３４】
図６は無線機８３のブロック図である。無線機８３は、その一具体例として図１の携帯式無線機１０を含む。無線機８３は、人に携帯されるものに限定されず、車両に搭載される車載式であってもよい。さらに、携帯式や移動式でなく、無線到達領域内の決められた場所に設置されるものであってもよい。
【００３５】
無線機８３は、緊急事態対応通報処理として、無線による緊急事態発生通報と共に周囲への聴覚的及び／又は視覚的媒体による緊急事態発生通報を行う第１の通報方式と、無線による緊急事態発生通報のみを行う第２の通報方式とを備えている。
【００３６】
聴覚的媒体とは、例えば、サイレン等の音響である。視覚的媒体とは、例えば、発光等の光である。第１の通報方式は、聴覚的及び／又は視覚的媒体により周囲に緊急事態発生を通報するので、公開通報方式であり、第２の通報方式は、それをしないので、秘密通報方式となっている。無線機８３の第１及び第２の通報方式の具体例は、それぞれ携帯式無線機１０における音響発生方式（Ａｕｄｉｂｌｅ）及び無音響方式（Ｓｉｌｅｎｔ）である。
【００３７】
緊急事態発生を無線通報する相手の無線機は任意である。相手の無線機は、予め設定してある単数又は複数の無線機や、無線機８３と最後に無線通信を行った無線機や、もっとも頻繁に無線通信を行っている無線機や、基地局や、無線機８３と同一グループの無線機であってもよい。
【００３８】
無線機８３は、必要最小限の構成として、検知手段８４及び実行手段８５を備えている。検知手段８４は、ユーザが緊急事態発生の通報指示に際して選択した通報方式を検知する。実行手段８５は、検知した選択通報方式により緊急事態対応通報処理を実行する。
【００３９】
無線機８３は、ユーザが第１及び第２のどちらの通報方式を選択したかを、典型的には、操作部材８６の操作態様に基づき検知する。操作部材８６の操作態様以外にも、複数の操作部材を用意して操作する操作部材の相違、数値キーから入力する数値の相違、又は発声文言の相違に基づき検知することもできる。数値キーからの入力数値は、汎用的な数値ではなく、該無線機８３のユーザに固有のパスワード的な数値に設定することもできる。また、複数の操作部材には、例えば、手操作の操作部材と、足操作の操作部材というように、使用身体部位の使い分けに応じて用意することも可能である。なお、足操作の操作部材は、典型的には、無線機本体ではなく、無線機本体へケーブルで接続されて床等に配置される。
【００４０】
通報用操作部材の操作態様として、例えば、所定時間以上の継続操作するものや、操作と操作解除との切替を所定頻度以上で行うものがある。これらは、それぞれ携帯式無線機１０におけるエマージェンシーキーの長押し及び数回押しに対応する。エマージェンシーキーの操作態様として、他に、深押しや、浅押しを設定することもできる。
【００４１】
無線機８３は、記憶媒体８７を有してもよい。記憶媒体８７は、ユーザが第１及び第２の通報方式の中から予定通報方式として設定したものを記憶する。このような記憶媒体８７に対して、検知手段８４は、ユーザが通報用操作部材を第１及び第２のどちらの操作態様で操作したかを検知する。実行手段８５は、第１の操作態様が検知された場合には予定通報方式により緊急事態対応通報処理を実行し、第２の操作態様が検知された場合には予定通報方式ではない方の通報方式により緊急事態対応通報処理を実行する。
【００４２】
図４のフローチャートでは、エマージェンシーキーについて長押しが第１の操作態様として割り当てられているが、無線機８３では、エマージェンシーキーについて数回押しを第１の操作態様として割り当ててもよいとする。
【００４３】
図７は無線機制御方法９５のフローチャートである。無線機制御方法９５は、無線機８３の制御方法として適用される。Ｓ９６では、ユーザが緊急事態発生の通報指示に際して選択した通報方式を検知する。Ｓ９７では、検知した選択通報方式により緊急事態対応通報処理を実行する。
【００４４】
Ｓ９６，Ｓ９７はそれぞれ検知手段８４及び実行手段８５に対応している。したがって、無線機８３の説明に際して、検知手段８４及び実行手段８５について述べたそれらの機能について各具体的態様はＳ９６，Ｓ９７の処理の各具体的態様としても適用できることはいうまでもない。
【００４５】
本発明を適用したプログラムは、コンピュータを無線機８３の各手段として機能させる。本発明を適用した別のプログラムは、無線機制御方法９５の各ステップをコンピュータに実行させる。
【００４６】
本発明を各種具体的形態について説明したが、本発明は、これに限定されるものではなく、発明の要旨を逸脱しない範囲で、各種具体的形態における各構成要素を変形（削除も含む。）して具体化できる。また、各種具体的形態間において、構成要素を置換したり、各種具体的形態の複数の構成要素を組み合わせたりすることにより、種々の発明を形成することもできる。
【図面の簡単な説明】
【００４７】
【図１】携帯式無線機の正面図である。
【図２】エマージェンシーキーの各操作態様の説明図である。
【図３】エマージェンシー処理方法の第１の部分のフローチャートである。
【図４】エマージェンシー処理方法の第２の部分のフローチャートである。
【図５】エマージェンシーモードにおける処理のフローチャートである。
【図６】無線機のブロック図である。
【図７】無線機制御方法のフローチャートである。
【符号の説明】
【００４８】
８３：無線機、８４：検知手段、８５：実行手段、８６：操作部材、８７：記憶媒体、９５：無線機制御方法。
【図１】
2008112298.tif 000003
【図２】
2008112298.tif 000004
【図３】
2008112298.tif 000005
【図４】
2008112298.tif 000006
【図５】
2008112298.tif 000007
【図６】
2008112298.tif 000008
【図７】
2008112298.tif 000009